(57)【特許請求の範囲】
【請求項１】
商品に付された商品情報を読み取る第１及び第２の読み取り部と、
前記第１の読み取り部によって前記商品情報が読み取られたか否かの第１の判断をし、
前記商品情報が前記第１の読み取り部によって読み取られたと判断した場合、前記商品情報が以前に前記第２の読み取り部によって読み取られたか否かの第３の判断をし、読み取られたと判断した場合、 前記商品情報が読み取られた前記商品を登録してよいか警告を行う商品登録部を備えるセルフレジ商品登録端末。
【請求項２】
前記商品登録部は、前記商品情報が前記第２の読み取り部によって読み取られたと判断した場合、前記商品情報が以前に前記第２の読み取り部によって読み取られたか否かの第２の判断をし、読み取られたと判断した場合、前記商品情報が読み取られた前記商品を登録してよいか警告を行う請求項１に記載のセルフレジ商品登録端末。
【請求項３】
前記商品登録部は、前記警告に対する応答処理が終了するまで、前記第２の読み取り部による前記商品情報の読み取りを停止させるよう処理する請求項１又は２に記載のセルフレジ商品登録端末。
【請求項４】
前記商品登録部は、情報を表示する表示部に、前記商品の登録の可否を選択させる登録可否メッセージを表示させることによって前記警告を行う請求項１から３のいずれか１つに記載のセルフレジ商品登録端末。
【請求項５】
前記第１の読み取り部及び第２の読み取り部はスキャナであって、前記第１の読み取り部は、前記第２の読み取り部より高い位置に設けられた請求項１から４のいずれか１つに記載のセルフレジ商品登録端末。
【請求項６】
買い物客自身による商品登録を可能とするセルフレジ商品登録端末において実行される商品登録方法であって、
商品に付された商品情報を読み取る第１及び第２の読み取り部のうち、前記第１の読み取り部によって前記商品情報が読み取られたか否かの第１の判断をし、前記商品情報が前記第１の読み取り部によって読み取られたと判断した場合、前記商品情報が以前に前記第２の読み取り部によって読み取られたか否かの第３の判断をし、読み取られたと判断した場合、前記商品情報が読み取られた前記商品を登録してよいか警告を行う前記セルフレジ商品登録端末による商品登録方法。
【発明の詳細な説明】
【技術分野】
【０００１】
本発明は、買い物客自身に商品登録を行わせるセルフレジ商品登録端末及びセルフレジ商品登録端末による商品登録方法に関する。
【背景技術】
【０００２】
近年、商品に付されたバーコードなどを買い物客自身にスキャナで読み込ませ、商品登録を行い、支払い処理を行うセルフレジ商品登録端末（セルフチェックアウト端末とも言う）を導入する店が増加している。
【０００３】
上記セルフレジ商品登録端末におけるスキャナ（定置型やハンディ型）は、一般の大人がスキャンをしやすいように、ある程度の高さに設置されているものが多い（特許文献１参照）。
【０００４】
上記のようなセルフレジ商品登録端末の導入が増加している中で、買い物客の中には大人の買い物客だけではなく親子連れの買い物客も多い。親子連れの買い物客の場合には、上記のようなセルフレジ商品登録端末が設置されている店では、商品登録を店員に行ってもらわず、親子で一緒に遊び感覚で自ら商品登録を行うことを選択するケースも多い。このような状況を踏まえ、上記のようなセルフレジ商品登録端末の更なる導入により、特に、親子連れの購買層の店舗への再来店、すなわちリピート率の向上が期待される。
【先行技術文献】
【特許文献】
【０００５】
【特許文献１】特開２０１４−５２７２１号公報
【発明の概要】
【発明が解決しようとする課題】
【０００６】
しかし、子供用のスキャナを設置すると、誤った商品登録が行われてしまうという問題がある。また、親は、子供による商品登録ができたとしても正しく行えているかわからず、同一商品の重複登録が生じてしまうという問題がある。
【０００７】
本発明は、上記課題に鑑み、親子で一緒に簡単に商品登録を行うことができ、同一商品の重複登録を回避することができるセルフレジ商品登録端末及びセルフレジ商品登録端末による商品登録方法を提供することを目的とする。
【課題を解決するための手段】
【０００８】
上記目的を達成するために、本発明のセルフレジ商品登録端末は、商品に付された商品情報を読み取る第１及び第２の読み取り部と、前記第１の読み取り部によって前記商品情報が読み取られたか否かの第１の判断をし、前記商品情報が前記第１の読み取り部によって読み取られたと判断した場合、前記商品情報が以前に前記第２の読み取り部によって読み取られたか否かの第３の判断をし、読み取られたと判断した場合、 前記商品情報が読み取られた前記商品を登録してよいか警告を行う商品登録部を備える。
【０００９】
また、本発明のセルフレジ商品登録端末は、前記商品登録部が、前記商品情報が前記第２の読み取り部によって読み取られたと判断した場合、前記商品情報が以前に前記第２の読み取り部によって読み取られたか否かの第２の判断をし、読み取られたと判断した場合、前記商品情報が読み取られた前記商品を登録してよいか警告を行うことが望ましい。
【００１０】
また、本発明のセルフレジ商品登録端末は、前記商品登録部が、前記警告に対する応答処理が終了するまで、前記第２の読み取り部による前記商品情報の読み取りを停止させるよう処理することが好ましい。
【００１１】
また、本発明のセルフレジ商品登録端末は、前記商品登録部が、情報を表示する表示部に、前記商品の登録の可否を選択させる登録可否メッセージを表示させることによって前記警告を行うことが好ましい。
【００１２】
また、本発明のセルフレジ商品登録端末は、前記第１の読み取り部及び第２の読み取り部がスキャナであって、前記第１の読み取り部が、前記第２の読み取り部より高い位置に設けられることが好ましい。
【００１３】
また、上記目的を達成するために、本発明のセルフレジ商品登録端末による商品登録方法は、商品に付された商品情報を読み取る第１及び第２の読み取り部のうち、前記第１の読み取り部によって前記商品情報が読み取られたか否かの第１の判断をし、前記商品情報が前記第１の読み取り部によって読み取られたと判断した場合、前記商品情報が以前に前記第２の読み取り部によって読み取られたか否かの第３の判断をし、読み取られたと判断した場合、前記商品情報が読み取られた前記商品を登録してよいか警告を行う。
【発明の効果】
【００１４】
本発明によれば、親子で一緒に簡単に商品登録を行うことができ、同一商品の重複登録を回避することができる。
【図面の簡単な説明】
【００１５】
【図１Ａ】セルフレジ商品登録端末を利用する家族連れの様子の一例を示す図である。
【図１Ｂ】セルフレジ商品登録端末を利用する家族連れの様子の一例を示す図である。
【図２】セルフレジ商品登録端末の外観例を示す図である。
【図３】セルフレジ商品登録端末のハードウェア構成例を示す図である。
【図４】セルフレジ商品登録端末における商品登録の処理動作を説明するフローチャートである。
【図５Ａ】同種商品の読み取りがなく、商品登録がされている場合の商品登録確認画面の表示例を示す図である。
【図５Ｂ】同種商品を登録するか否かを選択させるためのアイコンを表示した商品登録確認画面の表示例を示す図である。
【図５Ｃ】登録を許可した場合の商品登録確認画面の表示例を示す図である。
【発明を実施するための形態】
【００１６】
以下、実施の形態について図面を参照して説明する。図１Ａ及び図１Ｂは、実施の形態に係るセルフレジ商品登録端末を利用する家族連れの様子の一例を示す図である。図１Ａ、図１Ｂに示すように、セルフレジ商品登録端末１０Ａ、１０Ｂは、親子連れの買い物客が親子で一緒に、代金支払い処理のための商品登録を行い、商品登録に基づいて支払いを行うことができるものである。
【００１７】
セルフレジ商品登録端末１０Ａ、１０Ｂでは、大人は大人用のスキャナ（後述する固定スキャナＡ（通常／大人用）１６又はハンディスキャナ１８）を利用して商品登録を行い、子供は子供用のスキャナ（後述する固定スキャナＢ（子供用）１７）を利用して商品登録を行う。なお、セルフレジ商品登録端末１０Ａ、１０Ｂは、親子連れの買い物客以外の一般の買い物客による商品登録を行うことも当然可能である。
【００１８】
図２は、図１Ａに示すセルフレジ商品登録端末の外観例を示す図である。図２では、セルフレジ商品登録端末についての説明をしやすくするため、図１Ａに示す図から親子連れを表す破線部分が取り除かれている。
【００１９】
ここで、セルフレジ商品登録端末の構成について説明するが、セルフレジ商品登録端末１０Ａとセルフレジ商品登録端末１０Ｂとは、外観上、若干異なるが、セルフレジ商品登録端末としての構成及び機能は基本的に同様であるため、以下ではセルフレジ商品登録端末１０Ａを参照してセルフレジ商品登録端末について説明し、セルフレジ商品登録端末１０Ｂを参照した説明については省略する。
【００２０】
図２に示すように、セルフレジ商品登録端末１０Ａは、筐体１１と筐体１２を有する。筐体１１及び筐体１２は、セルフレジ商品登録端末１０Ａを統括的に制御する不図示の制御装置や、外部との通信を行う不図示の通信装置や、不図示の電源装置などを収容している。筐体１１は、上部にＬＣＤ（Ｌｉｑｕｉｄ Ｃｒｙｓｔａｌ Ｄｉｓｐｌａｙ）１３、タッチパネル１４、カードＲ／Ｗ１５、固定スキャナＡ（通常／大人用）１６、固定スキャナＢ（子供用）１７、不図示のハンディスキャナ１８、レシートプリンタ１９を備え、商品精算時に買い物客の進入方向と逆の側方に買い物かご載置台２０を備える。筐体１２は、上部にレジ袋懸吊部２６、重量測定装置（合計重量計量用秤）２７を備える。
【００２１】
ＬＣＤ１３は、情報を表示するものである。特に、ＬＣＤ１３は、セルフレジ商品登録端末１０Ａの操作案内や操作メニューの表示や、読み取ったバーコード（商品情報）に基づく商品名、商品単価、商品重量などの商品精算に伴う情報、精算時の預かり金額、買い物合計の金額、釣銭額などの情報の表示をする。
【００２２】
タッチパネル１４は、ＬＣＤ１３の表示にしたがった買い物客のタッチ操作による操作情報の入力を受け付ける。例えば、後述するように、同一の商品に付されたバーコードが重複して読み込まれた際に商品登録をするか否の選択の入力を受け付ける。カードＲ／Ｗ１５は、磁気カード（例えば、クレジットカード）の磁気ストライプに記録された情報を読み取る。
【００２３】
固定スキャナＡ（通常／大人用）１６、固定スキャナＢ（子供用）１７、ハンディスキャナ１８は、レーザ走査線を商品に照射して、商品に付されたバーコードを読み取る。固定スキャナＡ（通常／大人用）１６及び固定スキャナＢ（子供用）１７は、セルフレジ商品登録端末１０Ａに固定して設けられている。また、固定スキャナＡ（通常／大人用）１６は、固定スキャナＢ（子供用）１７よりも高い位置に設けられている。
【００２４】
ハンディスキャナ１８は、固定スキャナＡ（通常／大人用）１６や固定スキャナＢ（子供用）１７で読み取ることができないバーコードを読み取ることを可能とするように、セルフレジ商品登録端末１０Ａに有線又は無線で接続されている。なお、ここでは、ハンディスキャナ１８は、子供が利用できない大人用のスキャナとする。
【００２５】
レシートプリンタ１９は、購入した商品名、商品単価、預かり金額、釣銭金額などの情報が記載されたレシートを印刷する。買い物かご載置台２０は、買い物客が購入しようとする精算前の商品を入れたかごや袋などを載置する台である。
【００２６】
レジ袋懸吊部２６は、精算対象として商品登録した商品を入れるレジ袋を吊り下げるためのものである。重量測定装置２７は精算対象として商品登録した商品の合計重量を計量するものである。
【００２７】
また、筐体１１は、上部に金銭取扱装置収容部２８を備え、内部に、不図示の釣札機（紙幣取扱装置）と不図示の釣銭機（硬貨取扱装置）を収容する。また、金銭取扱装置収容部２８は、買い物客の操作面となる外部に、紙幣投入口２１、紙幣出金口２２、硬貨投入口２３、硬貨返却口２４、硬貨出金口２５を備える。
【００２８】
紙幣投入口２１は、釣札機に入金する紙幣の投入口である。紙幣出金口２２は、釣札機から出金する紙幣の取り出し口である。硬貨投入口２３は、釣銭機に入金する硬貨の投入口である。硬貨返却口２４は、釣銭機から返却される硬貨の取り出し口である。硬貨出金口２５は、釣銭機から出金する硬貨の取り出し口である。
【００２９】
次に、セルフレジ商品登録端末１０Ａのハードウェア構成例について図３を用いて説明する。図３に示すように、セルフレジ商品登録端末１０Ａは、ＣＰＵ（Ｃｅｎｔｒａｌ Ｐｒｏｃｅｓｓｉｎｇ Ｕｎｉｔ）１０１やＲＡＭ（Ｒａｎｄｏｍ Ａｃｃｅｓｓ Ｍｅｍｏｒｙ）１０２などを含む制御装置１００を備え、制御装置１００は、ＬＣＤ１３やタッチパネル１４などを含む各種装置と接続されている。制御装置１００は各種装置を統括的に制御する。セルフレジ商品登録端末１０Ａは、制御装置１００に含まれるＣＰＵ１０１によって制御されている。
【００３０】
ＣＰＵ１０１には、バス１０７を介して、ＲＡＭ１０２、ＨＤＤ（Ｈａｒｄ Ｄｉｓｋ Ｄｒｉｖｅ）１０３、通信インタフェース１０４、グラフィック処理装置１０５、入出力インタフェース１０６が接続されている。ＣＰＵ１０１は、バス１０７を介して、ＨＤＤ１０３などに格納される商品の登録処理を行うためのプログラムを読み込み、ＲＡＭ１０２に一時的に読み込んだプログラムを格納し、そのプログラムを実行するものである。また、固定スキャナＡ（通常／大人用）１６は後述する第１の読み取り部として機能し、固定スキャナＢ（子供用）１７は後述する第２の読み取り部として機能する。
【００３１】
ＲＡＭ１０２には、ＣＰＵ１０１に実行させるためのＯＳ（Ｏｐｅｒａｔｉｎｇ Ｓｙｓｔｅｍ）プログラムやアプリケーションプログラムの一部が一時的に格納される。また、ＲＡＭ１０２には、ＣＰＵ１０１による処理に必要な各種データが格納される。ＨＤＤ１０３には、商品の登録処理を行うためのアプリケーションプログラムなどが格納される。
【００３２】
通信インタフェース１０４は、外部とデータの送受信を行うものであり、例えばＬＡＮ（Ｌｏｃａｌ Ａｒｅａ Ｎｅｔｗｏｒｋ）やＵＳＢ（Ｕｎｉｖｅｒｓａｌ Ｓｅｒｉａｌ Ｂｕｓ）などの接続形式である。
【００３３】
グラフィック処理装置１０５は、ＣＰＵ１０１からの命令に従って、商品登録画面を作成して、画像信号に変換してＬＣＤ１３に出力するものである。
【００３４】
入出力インタフェース１０６には、タッチパネル１４、固定スキャナＡ（通常／大人用）１６、固定スキャナＢ（子供用）１７、ハンディスキャナ１８、カードＲ／Ｗ１５、レシートプリンタ１９、音声出力装置２９、入出金装置３０、重量測定装置２７が接続されている。また、入出力インタフェース１０６は、不図示の外部記憶媒体への情報の書き込み、外部記憶媒体からの情報の取り出しが接続可能である。
【００３５】
音声出力装置２９は、商品登録から支払いまでの一連の処理の中で、必要な音声を出力するものである。例えば、音声出力装置２９は、円滑な商品登録を促すための音声案内を出力したり、商品の未登録など不正があった場合に警告音を出力したりする。
入出金装置３０は、上述した釣札機及び釣銭機を含むものである。
【００３６】
次に、セルフレジ商品登録端末における商品登録の処理動作例について図４を用いて説明する。図４は、セルフレジ商品登録端末における商品登録の処理フロー例を示す図である。図４に示すように、まず、買い物かご載置台２０に置かれた買い物かごから商品が買い物客によって取り出され、第１の読み取り部（固定スキャナＡ（通常／大人用））１６又は第２の読み取り部（固定スキャナＢ（子供用））１７によって、商品に付されたバーコードが読み取られる、すなわち商品登録（商品スキャン）がされると（ステップＳ４０１）、不図示の商品登録部１０１Ａは、バーコードを読み取られた商品が第２の読み取り部１７によってバーコードを読み取られた商品であるか否かの判断（第１の判断）をする、すなわち子供用スキャナである固定スキャナＢ（子供用）１７で読み取った商品であるかの判断をする（ステップＳ４０２）。
【００３７】
なお、ハンディスキャナ１８は、上述したように、子供が利用できないスキャナとしているため、ハンディスキャナ１８によってバーコードが読み取られた場合には、大人によってバーコードが読み取られたと判断され、第１の読み取り部１６によってバーコードが読み取られた場合の処理と同様の処理となる。すなわち、ハンディスキャナ１８によってバーコードが読み取られた場合、ステップＳ４０２においては、第２の読み取り部１７によって読み取られたと判断されない。
【００３８】
商品登録部１０１Ａは、ステップＳ４０２において、バーコードを読み取られた商品が第２の読み取り部１７によってバーコードを読み取られた商品であると判断した場合（ＹＥＳの場合）、このバーコードを読み取られた商品が、商品登録処理内で第２の読み取り部１７によってバーコードを読み取られた商品と同種の商品であるか否かの判断（第２の判断）をする、すなわち、商品登録処理内で子供用スキャナである固定スキャナＢ（子供用）１７で読み取ったものと同種の商品であるかの判断をする（ステップＳ４０３）。商品登録部１０１Ａは、商品登録処理内で第２の読み取り部１７によってバーコードを読み取られた商品であると判断しない場合（ＮＯの場合）、後述するステップＳ４０６において、バーコードを読み取られた商品の登録を行う。
【００３９】
一方、商品登録部１０１Ａは、ステップＳ４０３において、商品登録処理内で第２の読み取り部１７によってバーコードを読み取られた商品と同種の商品であると判断した場合（ＹＥＳの場合）、同一商品が読み込まれた可能性、つまり重複登録のおそれがあるため、バーコードが読み取られた商品を登録してよいか警告、すなわち登録可否メッセージをＬＣＤ１３に表示する（ステップＳ４０４）。子供は悪気なしに、同じ商品で何度も読み込みをする場合があるからである。
【００４０】
なお、第２の判断を行う際の上記商品登録処理内の始点は、同一の買い物客による今回の商品登録処理の開始時点である。後述する第３の判断を行う際の商品登録処理内の始点についても同様である。
【００４１】
ここで、ＬＣＤ１３に表示される登録可否メッセージについて図５Ａから図５Ｃを用いて説明する。図５Ａは、第１の読み取り部１６、第２の読み取り部１７、ハンディスキャナ１８による読み取りにおいて、第２の読み取り部１７による同種商品の商品登録処理内での読み取りがなく、商品登録がされている場合の商品登録確認画面の表示例を示す図である。図５Ａの表示例では、第１の読み取り部１６又はハンディスキャナ１８によって、商品「天然水」と商品「はくさい」に付されたバーコードが読み取られ、第２の読み取り部１７によって商品「バナナ」と商品「りんご」に付されたバーコードが読み取られている。そして、お買上商品として、それぞれの商品名と価格が表示されている。
【００４２】
なお、お買上商品の表示欄は、上から読み取られた順となっている。すなわち、図５Ａのお買上商品の表示欄では、商品「バナナ」に付されたバーコードが最初に読み取られ、次に商品「天然水」に付されたバーコードが読み取られ、次に商品「はくさい」に付されたバーコードが読み取られ、最後に商品「りんご」に付されたバーコードが読み取られたことを示している。
【００４３】
また、図５Ａから図５Ｃにおいて共通する表示であるが、第２の読み取り部１７によってバーコードが読み取られた場合、お買上商品の表示欄の一部（この場合、表示欄の下方）に、読み取られたバーコードに基づく商品の画像が履歴表示される。これにより、子供によってバーコードが読み取られた商品がどういった商品であるかを、親が一目で確認することができる。この例では、直近（今回）にバーコードを読み取られた商品の画像を画面向かって右側に、その前（前回）にバーコードを読み取られた商品の画像を直近に読み取られた商品の画像の画面向かって左隣（この例では、３つの画像の中心）に、さらにその前（前々回）にバーコードを読み取られた商品の画像を画面向かって左側に表示するようになっている。すなわち、画面向かって左から、読み取られた商品順に商品画像Ｄ１、Ｄ２が表示されている。なお、この例では、３つの商品の履歴表示を表示欄の下方にしているが、表示の仕方や画像の表示数についてはこの例に限られるものではない。
【００４４】
図５Ｂは、商品登録処理内で読み取りされた同種商品を登録するか否かを選択させるためのアイコンを表示した商品登録確認画面の表示例を示す図である。図５Ｂに示す商品登録確認画面は、図５Ａに示す商品登録確認画面の状態から、新たに第２の読み取り部１７によって、商品「りんご」に付されたバーコードが読み取られたときに表示されるものである。図５Ｂに示すように、第２の読み取り部１７によって新たに商品「りんご」に付されたバーコードが読み取られたが、すでに商品「りんご」は商品登録されており、重複登録になってしまうおそれがある。そこで、本当に今回の読み取りによる商品「りんご」を商品登録してもよいか否かを、第１の読み取り部１６又はハンディスキャナ１８を利用する者（例えば、親）に確認する。そのため、第１の読み取り部１６又はハンディスキャナ１８を利用する者が、ＬＣＤ１３のタッチパネル１４上で登録するか、重複しないよう取り消しするかを選択できるように、商品登録部１０１Ａは、商品画像Ｄ３に登録を示すアイコンＤｙと取消を示すアイコンＤｎを表示させる。このアイコンは登録可否メッセージの一例である。
【００４５】
図５Ｃは、図５Ｂに示す商品登録確認画面の表示例の状態から、登録を示すアイコンが選択された場合の商品登録確認画面の表示例を示す図である。すなわち、図５Ｃでは、重複登録を許可した場合の商品登録確認画面の表示例が示されている。なお、図５Ｂに示す商品登録確認画面の状態から、取消を示すアイコンＤｎが選択された場合には、商品「りんご」の登録処理は取り消され、重複登録は回避される。
【００４６】
ステップＳ４０４において、登録可否メッセージ（アイコン）がＬＣＤ１３に表示されると、上述したように、第１の読み取り部１６又はハンディスキャナ１８を利用する者は、アイコンの表示に対する応答処理、すなわちＬＣＤ１３に表示されたタッチパネル１４上のアイコンのうち、登録を示すアイコンＤｙか取消を示すアイコンＤｎのいずれかをタッチパネル１４に触れて選択する。商品登録部１０１Ａは、タッチパネル１４を通じて、選択されたアイコンが登録を示すアイコンＤｙか、取消を示すアイコンＤｎかを判断する、すなわち、どちらが選択されたか判断する（ステップＳ４０５）。
【００４７】
商品登録部１０１Ａは、登録を示すアイコンＤｙが選択されたと判断した場合、第２の読み取り部１７によって読み取られた商品を登録する（ステップＳ４０６）。商品の登録がされると、商品登録部１０１Ａは、バーコードを読み取られた商品の画像をＬＣＤ１３に表示させる（ステップＳ４０７）。すなわち、商品登録部１０１Ａは、バーコードを読み取られた商品の画像をＬＣＤ１３に履歴表示させる。そして、商品登録部１０１Ａは、商品登録が終了したか否かを判断する（ステップＳ４０８）。一方、ステップＳ４０５において、商品登録部１０１Ａは、取消を示すアイコンＤｎが選択されたと判断した場合、読み取った商品は登録しないように処理する（ステップＳ４０９）。重複登録のおそれがあるからである。
【００４８】
商品登録部１０１Ａが、ステップＳ４０８において、商品登録が終了したと判断しない場合（ＮＯの場合）には、ステップＳ４０１に戻り、商品登録の処理が継続される。商品登録部１０１Ａが、商品登録が終了したと判断した場合（ＹＥＳの場合）には、商品登録すべき全商品が商品登録されたことになり、不図示の支払部１０１Ｂによる支払い処理が開始される。支払部１０１Ｂによる支払い処理については後述する。
【００４９】
一方、ステップＳ４０２において、商品登録部１０１Ａは、バーコードを読み取られた商品が第２の読み取り部１７によって読み取られた商品でないと判断した場合（ＮＯの場合）、すなわち、バーコードを読み取られた商品が第１の読み取り部１６又はハンディスキャナ１８によって読み取られた商品であると判断した場合、バーコードを読み取られた商品が商品登録処理内で第２の読み取り部１７によってバーコードを読み取られた商品と同種であるか否かの判断（第３の判断）をする（ステップＳ４１０）。すなわち、商品登録部１０１Ａは、商品登録処理内で子供用スキャナである固定スキャナＢ（子供用）１７で読み取ったものと同種の商品であるかの判断をする。子供が固定スキャナＢ（子供用）１７で読み取った商品を、レジ袋に入れないで買い物かごに戻してしまい、親がそれを知らないで、大人用スキャナ（第１の読み取り部１６又はハンディスキャナ１８）で重複登録してしまうことがある。
【００５０】
商品登録部１０１Ａは、バーコードを読み取られた商品が商品登録処理内で第２の読み取り部１７によってバーコードを読み取られた商品と同種の商品であると判断した場合（ＹＥＳの場合）、重複登録のおそれがあるので、バーコードが読み取られた商品を登録してよいか警告、すなわち登録可否メッセージをＬＣＤ１３に表示する（ステップＳ４０４）。以降（ステップＳ４０５、４０６、４０７、４０９）は、前記説明のとおりであり、商品登録が終了したか否かの判断を行う（ステップＳ４０８）。一方、ステップＳ４１０において、商品登録部１０１Ａが、バーコードを読み取られた商品が商品登録処理内で第２の読み取り部１７によってバーコードを読み取られた商品と同種であると判断しない場合（ＮＯの場合）、はじめてこの商品のバーコードが読み取られたことになるため、商品登録部１０１Ａは、この商品の商品登録を行い（ステップＳ４１１）、商品登録が終了したか否かの判断を行う（ステップＳ４０８）。このような一連の処理により、商品の重複登録を回避することが可能となる。
【００５１】
ここで、すべての商品登録が終了した後の支払部１０１Ｂによる支払い処理例について説明する。ステップＳ４０８において、商品登録部１０１Ａが、全商品についての商品登録が終了した判断すると、支払部１０１Ｂによる支払い処理が開始される。支払部１０１Ｂは支払処理を行う、すなわち、支払部１０１Ｂは、例えば、全商品の商品登録に基づいて算出される合計金額をＬＣＤ１３に表示し、現金、クレジットカード、電子マネーによる支払いを、入出金装置３０やカードＲ／Ｗ１５を介して受け付け、現金の場合には釣銭額を算出し、クレジットカードや電子マネーの場合にはそれぞれの支払い態様に応じた決済処理を行う（ステップＳ４１２）。
【００５２】
支払部１０１Ｂは、支払処理が済むと、レシートプリンタ１９を介してレシートを出力し、入出金装置３０を介して釣銭を出金する（ステップＳ４１３）。レシートの出力、釣銭の出金が完了することにより、商品登録処理が終了する。
【００５３】
このようなセルフレジ商品登録端末によれば、親子で一緒に簡単に商品登録を行うことができ、同一商品の重複登録を回避することができる。また、さらに、親子で一緒に商品登録を行うことができることにより、子供の興味や関心が高まり、セルフレジ商品登録端末の稼働率が上がり、リピート率の向上にもつながる。また、子供が積極的に親の手伝いを行うようになるため、情操教育としての効果も期待できる。
【００５４】
なお、上述した実施の形態では、商品登録の主な処理をＣＰＵによるソフトウェア処理によって実行するものとして説明したが、この処理の全部又は一部をハードウェアによって実現するようにしてもよい。
【００５５】
また、上述した実施の形態は、上述したものに限定されるものではなく、実施の形態の要旨を逸脱しない範囲において種々の変更を加えることができる。
【符号の説明】
【００５６】
１０Ａ、１０Ｂ  セルフレジ商品登録端末
１１、１２  筐体
１３  ＬＣＤ
１４  タッチパネル
１５  カードＲ／Ｗ
１６  固定スキャナＡ（通常／大人用）
１７  固定スキャナＢ（子供用）
１８  ハンディスキャナ
１９  レシートプリンタ
２０  買い物かご載置台
２１  紙幣投入口
２２  紙幣出金口
２３  硬貨投入口
２４  硬貨返却口
２５  硬貨出金口
２６  レジ袋懸吊部
２７  重量測定装置（合計重量計量用秤）
２８  金銭取扱装置収容部
２９  音声出力装置
３０  入出金装置
１００  制御装置
１０１  ＣＰＵ
１０１Ａ  商品登録部
１０１Ｂ  支払部
１０２  ＲＡＭ
１０３  ＨＤＤ
１０４  通信インタフェース
１０５  グラフィック処理装置
１０６  入出力インタフェース
１０７  バス
Ｄ１、Ｄ２、Ｄ３  商品画像
Ｄｎ、Ｄｙ  アイコン
【図１Ａ】
0006301852.tif 000002
【図１Ｂ】
0006301852.tif 000003
【図２】
0006301852.tif 000004
【図３】
0006301852.tif 000005
【図４】
0006301852.tif 000006
【図５Ａ】
0006301852.tif 000007
【図５Ｂ】
0006301852.tif 000008
【図５Ｃ】
0006301852.tif 000009